(57)【要約】    【課題】  幾つもの携帯機器等の充電を、できるだけ多くの人が同時にできるだけ円滑に行うことができる充電スタンドの提供。    【解決手段】  方形盤状部Ｔと、その方形盤状部Ｔを床面等の上方に支持する角筒状の支持部Ｓと、方形盤状部Ｔから上方に突起する柱状部Ｍからなる。方形盤状部Ｔの上側面部は、物品を上向きに支持し得る略水平状をなす支持面部Ｐを構成する。柱状部Ｍの側周部Ｍ１のうち正面の上下中間位置及び両側面のやや下方位置に、それぞれ商用電源プラグ差込口Ｅ（３か所）を、正面における商用電源プラグ差込口Ｅの上下にそれぞれＵＳＢポートＵ（２か所）を、携帯機器等の充電可能な機器を充電するための充電用接続部として合計５か所に有する。【選択図】      図１
2020096528.tif 000002
【特許請求の範囲】
【請求項１】
物品を上向きに支持し得る略水平状をなす支持面部と、
設置対象に対し前記支持面部を上方に支持するための支持部と、
前記支持面部の内方領域部内から上方に突起する柱状部を備えてなり、
前記柱状部の側周部に、携帯機器等の充電可能な機器を充電するための複数の充電用接続部を有することを特徴とする充電スタンド。
【請求項２】
上記充電用接続部を、柱状部の側周部の３以上に有する請求項１記載の充電スタンド。
【請求項３】
上記充電用接続部を、柱状部の側周部の周方向における２以上の異なる周方向角度の位置に有する請求項１又は２記載の充電スタンド。
【請求項４】
上記柱状部の側周部の周方向の任意の１８０度中心角毎に１以上の充電用接続部を有する請求項１乃至３の何れか１項に記載の充電スタンド。
【請求項５】
２種以上の充電用接続部を柱状部の側周部に有し、そのうちの１種以上の充電用接続部を複数有し、同種の複数の充電用接続部を柱状部の側周部の周方向における２以上の異なる周方向角度の位置に有する請求項１乃至４の何れか１項に記載の充電スタンド。
【請求項６】
上記柱状部の上方部に、充電機能に関する状況を表示し得る表示部を有し、その表示部は、水平方向における全方位から視認し得るものである請求項１乃至５の何れか１項に記載の充電スタンド。
【請求項７】
支持部と柱状部が上下に連続した上下連続体を構成し、支持面部の内方領域部内において、支持面部を構成する部材を前記上下連続体が貫通する請求項１乃至６の何れか１項に記載の充電スタンド。
【請求項８】
上記設置対象に対し上記支持部を移動させることにより移設することができる請求項１乃至７の何れか１項に記載の充電スタンド。
【請求項９】
充電利用状況を計測してそれらの計測データを出力する計測部と、その計測部から出力された計測データを通信網を介して所定の装置に対し送信し得る通信部を備え、前記計測データが、前記装置において利用され得るものである請求項１乃至８の何れか１項に記載の充電スタンド。
【請求項１０】
上記充電利用状況が、各充電用接続部についての充電利用状況である請求項９記載の充電スタンド。
【発明の詳細な説明】
【技術分野】
【０００１】
本発明は、携帯機器等の充電可能な機器の充電を行うための充電用接続部を備えた充電スタンドに関する。
【背景技術】
【０００２】
スマートフォン、携帯電話、タブレット端末、ノートパソコン等の充電可能な携帯機器等については、外出先において蓄電量が低下した場合、使用を継続するために充電する必要が生じ得る。
【０００３】
そのため、駅・空港・その他の公共的な施設に、携帯機器等の充電を行うための充電用接続部を備えた充電スタンドを設置することが要望される。
【０００４】
このような充電スタンドとしては、幾つもの携帯機器等の充電を、できるだけ多くの人が同時にできるだけ円滑に行うことができることが望まれる。
【０００５】
例えば、電源コードやＵＳＢケーブル等の接続用条体を介して充電用接続部に接続して充電しつつ機器を使用することが望まれる場合もある一方、機器を使用せずに充電のみを効率良く行うことが望まれる場合もある。
【０００６】
携帯機器の充電については、ＷＯ２０１２／１３２１４２に、携帯電話の充電台の発明として、上面プレート２１を有するケース２０と、上面プレート２１の下面に沿って移動する電源コイル１１と、電源コイル１１に接続してなる交流電源１２と、電源コイル１１を移動させる移動機構１３と、携帯電話５０の位置を検出して電源コイル１１を誘導コイル５１に接近させる、複数列の位置検出コイル３０を有する位置検出制御器１４とを備え、上面プレート２１に携帯電話５０が載せられると、誘導コイル５１の位置を位置検出制御器１４で検出し、位置検出制御器１４が移動機構１３を制御して電源コイル１１を誘導コイル５１に接近させて電池５２を充電し、位置検出コイル３０は、プリント基板３７の表面に設けてなる配線ライン３８で、ジグザグ状又はループ状の非直線ライン３９を有するものが開示されている。
【０００７】
また特開２００６−３４０８３号公報には、複数分配型携帯用充電器の発明として、充電に必要な電力を多数の携帯電話機Ｐに同時に分配供給できる複数分配型携帯用充電器であって、コンセント型の電源部２に接続でき、多機種の携帯電話機Ｐの充電コネクターを利用可能とすべく、複数のコネクトケーブル４を装着可能とした分配器１を備える。分配器１には、電源部２を利用して充電可能とした充電池６を内蔵するものが開示されている。
【０００８】
しかしながら、これらは前記のような要望を満足するものとは言えない。
【先行技術文献】
【特許文献】
【０００９】
【特許文献１】ＷＯ２０１２／１３２１４２
【特許文献２】特開２００６−３４０８３号公報
【発明の概要】
【発明が解決しようとする課題】
【００１０】
本発明は、幾つもの携帯機器等の充電を、できるだけ多くの人が同時にできるだけ円滑に行うことができる充電スタンドを提供することを目的とする。
【課題を解決するための手段】
【００１１】
本発明の充電スタンドは、次のように表すことができる。
【００１２】
(1) 物品を上向きに支持し得る略水平状をなす支持面部と、
設置対象に対し前記支持面部を上方に支持するための支持部と、
前記支持面部の内方領域部内から上方に突起する柱状部を備えてなり、
前記柱状部の側周部に、携帯機器等の充電可能な機器を充電するための複数の充電用接続部を有することを特徴とする充電スタンド。
【００１３】
支持面部は設置対象に対し支持部によって上方に支持される。支持面部の内方領域部内から上方に突起する柱状部の側周部に有する複数の充電用接続部に電源コードやＵＳＢケーブル等の接続用条体や必要なコンバータその他の装置等を介して携帯機器等の充電可能な機器を接続することにより、それらの機器の充電を行うことができる。
【００１４】
充電可能な複数の機器の充電は、それらの機器を各充電用接続部に接続用条体等を介して接続し、それらの機器を柱状部の基部の周囲に有する支持面部上に載置した状態で行うことや、充電スタンドの周囲の全方向の空間を利用して様々な使用者が立った状態又は椅子等に座った状態で、それらの機器（例えばスマートフォン、携帯電話、タブレット端末、ノートパソコン等）を使用しつつ行うこと等ができる。更に、支持面部上に飲料容器や筆記具等の他の物品を載置した状態で行うことができる。
【００１５】
(2) 上記充電用接続部を、柱状部の側周部に３以上有する上記(1)記載の充電スタンド。
【００１６】
(3) 上記充電用接続部を、柱状部の側周部の周方向における２以上の異なる周方向角度の位置に有する上記(1)又は(2)記載の充電スタンド。
【００１７】
(4) 上記柱状部の側周部の周方向の任意の１８０度中心角毎に１以上の充電用接続部を有する上記(1)乃至(3)の何れか１項に記載の充電スタンド。
【００１８】
(5) ２種以上の充電用接続部を柱状部の側周部に有し、そのうちの１種以上の充電用接続部を複数有し、同種の複数の充電用接続部を柱状部の側周部の周方向における２以上の異なる周方向角度の位置に有する上記(1)乃至(4)の何れか１項に記載の充電スタンド。
【００１９】
(6) 上記柱状部の上方部に、充電機能に関する状況を表示し得る表示部を有し、その表示部は、水平方向における全方位から視認し得るものである上記(1)乃至(5)の何れか１項に記載の充電スタンド。
【００２０】
(7) 支持部と柱状部が上下に連続した上下連続体を構成し、支持面部の内方領域部内において、支持面部を構成する部材を前記上下連続体が貫通する上記(1)乃至(6)の何れか１項に記載の充電スタンド。
【００２１】
(8) 上記設置対象に対し上記支持部を移動させることにより移設することができる上記(1)乃至(7)の何れか１項に記載の充電スタンド。
【００２２】
(9) 充電利用状況を計測してそれらの計測データを出力する計測部と、その計測部から出力された計測データを通信網を介して所定の装置に対し送信し得る通信部を備え、前記計測データが、前記装置において利用され得るものである上記(1)乃至(8)の何れか１項に記載の充電スタンド。
【００２３】
(10) 上記充電利用状況が、各充電用接続部についての充電利用状況である上記(9)記載の充電スタンド。
【発明の効果】
【００２４】
本発明の充電スタンドによれば、支持部によって上方に支持される支持面部の内方領域部内から上方に突起する柱状部の側周部に有する複数の充電用接続部に接続用条体等を介して携帯機器等を接続することにより、その機器を柱状部の基部の周囲に有する支持面部上に載置した状態や、充電スタンドの周囲の全方向の空間を利用して様々な使用者が立って又は椅子等に座ってその機器を使用する状態等、様々な態様でその充電スタンド及びその周囲の空間を効果的に利用しつつ、幾つもの機器の充電をできるだけ多くの人が同時にできるだけ円滑に行うことができる。
【図面の簡単な説明】
【００２５】
【図１】充電スタンドの正面上方側斜視図である。
【図２】充電スタンドの背面上方側斜視図である。
【図３】充電スタンドの正面下方側要部斜視図である。
【発明を実施するための形態】
【００２６】
[1] 本発明の実施の形態を、図面を参照しつつ説明する。
【００２７】
図面は何れも本発明の充電スタンドの実施の形態の一例に関するものである。
【００２８】
(1) この充電スタンドは、中央部に方形状の上下貫通孔部Ｈを有する方形盤状部Ｔと、その方形盤状部Ｔを床面等の設置対象面の上方に支持する角筒状の支持部Ｓと、床面等の上に載置されて支持部Ｓを垂直起立状態で支持する支持盤Ａと、方形盤状部Ｔから上方に突起する柱状部Ｍからなる。
【００２９】
この充電スタンドは、支持部Ｓを支持盤Ａと共に床面等の設置対象面に対し移動させることにより、必要に応じ必要な箇所へ移設することができる。
【００３０】
支持部Ｓと柱状部Ｍは上下に連続して一体状の一定断面の角筒状（上下連続体）をなし、方形盤状部Ｔの上下貫通孔部Ｈに挿通した状態で、その方形盤状部Ｔを、支持部Ｓに外嵌された連結部材Ｂを介して水平状に固定支持するものである。連結部材Ｂは、支持部Ｓに外嵌した箇所から垂下して支持部Ｓに結合固定される垂下部Ｂ１と、支持部Ｓに外嵌した箇所から外方に張り出して方形盤状部Ｔの下側に結合固定され、その方形盤状部Ｔを上向きに支持する張出部Ｂ２からなる。
【００３１】
方形盤状部Ｔは、板状材からなり、上側面部は、略正方形状の水平状をなし、物品を上向きに支持し得る略水平状をなす支持面部Ｐを構成する。支持面部Ｐの高さは９０ｃｍ程度であり、柱状部Ｍの上端の高さは１２０ｃｍ程度である。
【００３２】
柱状部Ｍの水平断面における一辺の長さは、支持面部Ｐの一辺の長さの約４分の１である。
【００３３】
(2) 柱状部Ｍの側周部Ｍ１のうち正面の上下中間位置及び両側面のやや下方位置に、それぞれ商用電源プラグ差込口Ｅ（３か所）を、正面における商用電源プラグ差込口Ｅの上下にそれぞれＵＳＢポートＵ（２か所）を、携帯機器等の充電可能な機器を充電するための充電用接続部として合計５か所に有する。
【００３４】
充電用接続部の電源は、支持部Ｓの下端部に通じる電源コードＣを介する商用電源である。
【００３５】
支持面部Ｐのうち、柱状部Ｍの基部の外周側の略環状面状の領域に、スマートフォン、携帯電話、タブレット端末、ノートパソコン等の充電対象とする機器や、飲料容器や筆記具等の他の物品を載置することができる。
【００３６】
(3) 柱状部Ｍの上端部には、充電可能な状態である場合に点灯状態となり、充電不可の場合に消灯状態となるＬＥＤによる表示部Ｌを有する。
【００３７】
表示部Ｌが点灯状態であるか消灯状態であるかは、水平方向における全方位から視認し得る。
【００３８】
[2] 本発明の実施の形態を、上記以外の形態を含めて更に説明する。
【００３９】
本発明の充電スタンドは、支持面部と支持部と柱状部を備えてなり、充電用接続部を有する。
【００４０】
(1) 充電の対象は、携帯機器等の充電可能な機器である。その具体例としては、スマートフォン、その他の携帯電話、タブレット端末、ノートパソコン等を挙げることができるが、これらに限るものではない。
【００４１】
(2) 支持面部は、充電スタンドが通常の状態で設置されている場合に、物品を上向きに支持し得る略水平状をなす。支持面部には、例えば飲料容器や食器としての飲料容器の底部に適合する凹部を１又は２以上有するものとすることもできる。
【００４２】
支持面部の例としては、上面側が略水平状をなす板状の部材からなる円盤状部、楕円盤状部、方形盤状部、正多角形又はその他の多角形盤状部等の、それぞれ円形状、楕円形状、方形状、正多角形状又はその他の多角形状の略水平状をなす上側面部を挙げることができるが、これに限るものではない。前記部材は、内方領域部に柱状部の基部又は支持部の上端部が位置するための上下貫通孔部を有するものであってもよい。また、前記部材は、通常の板材に限らず、中空状の材料や、下側にリブ状又はその他の補強部が形成されたもの等とすることもできる。
【００４３】
支持面部の他の例として、略水平状をなす上面部から下方に向かって水平断面が縮小する上下逆の錐台状体（例えば円錐台状体、角錐台状体等）における、略水平状をなす上面部（例えば円形状又は多角形状の上面部）を挙げることができる。
【００４４】
(3) 支持部は、設置対象に対し支持面部を上方に支持するためのものである。
【００４５】
設置対象としては、例えば、床面、路面、地面等の利用者が歩行対象とする面（載置対象面）や、それらの面及びその下方部（埋設対象部）等を挙げることができる。
【００４６】
支持部は、例えば、載置対象面上に支持部が自立するための支持脚部や支持盤を下端部に有するものとすることができる。
【００４７】
支持部は、設置対象に対し（支持脚部や支持盤を有する場合はそれらと共に）移動させることにより、必要に応じ必要な箇所へ充電スタンドを移設することができるものとすることができるほか、設置対象に対し下端部を埋設する等により固定し、充電スタンド自体が設置対象に対し固定したものとすることもできる。
【００４８】
(4) 柱状部は、支持面部の内方領域部内から上方に突起する。
【００４９】
支持面部の内方領域部というのは、支持面部の水平方向において、支持面部の全外周縁に沿った領域よりも内方の領域部を意味し、例えば、中心から外周縁までの距離の４分の３以内の領域部とすることができる。支持面部の内方領域部としては、中心から外周縁までの距離の３分の２以内の領域部であることが好ましく、より好ましくは２分の１以内の領域部、更に好ましくは３分の１以内の領域部であり、例えば４分の１以内の領域部とすることもできる。
【００５０】
支持面部のうち、柱状部の基部の外周側の略環状面状の領域には、スマートフォン、携帯電話、タブレット端末、ノートパソコン等の充電対象とする機器や、飲料容器や筆記具等の他の物品を載置し得るものとすることができる。
【００５１】
柱状部は、支持面部に対し垂直状に直立するものであることが好ましい。
【００５２】
柱状部は、例えば円柱状若しくは円筒状又は多角形柱状若しくは多角形筒状とすることができ、高さ方向において水平断面の形状や大きさが変化してもよい。
【００５３】
柱状部は、一つの支持面部の内方領域部に一つあるものとすることが好ましい。
【００５４】
また、支持部と柱状部が上下に連続した上下連続体を構成するものとすることもできる。その場合、支持面部の内方領域部内において、支持面部を構成する部材を支持部と柱状部の上下連続体が貫通するものとすることができる。
【００５５】
(5) 充電用接続部は、携帯機器等の充電可能な機器を充電するためのものであり、柱状部の側周部に有する。
【００５６】
充電用接続部の例としては、ＵＳＢポート、商用電源プラグ差込口等を挙げることができるが、これらに限るものではない。
【００５７】
充電用接続部は、柱状部の側周部に３以上に有するものであることができ、４若しくは５又は６以上とすることが好ましい。この場合、柱状部の側周部に有する２又は３以上の充電用接続部のそれぞれに対し、接続用条体等を介して充電可能な機器を同時に接続し、例えば、柱状部の基部の周囲に有する略環状面状の支持面部上に載置した状態で、或いは、充電スタンドの周囲の全方向の空間を必要に応じ利用してそれぞれの使用者が立った状態又は椅子等に座った状態でそれぞれの機器を使用しつつ、充電することができる。
【００５８】
充電用接続部は、柱状部の側周部の周方向における２以上の異なる周方向角度（平面視における柱状部の中心のまわりの周方向角度）の位置に有するものであることが好ましい。例えば、柱状部の側周部の周方向の任意の１８０度中心角毎に１以上の充電用接続部を有するものとすることができ、好ましくは周方向の任意の９０度中心角毎又は６０度中心角毎に１以上の充電用接続部を有するものとすることができる。この場合、柱状部の側周部の周方向における２以上の異なる周方向角度の位置に有する充電用接続部のそれぞれに対し、接続用条体等を介して充電可能な機器を同時に接続することができるので、例えば、柱状部の基部の周囲に有する略環状面状の支持面部上に載置した状態で、或いは、充電スタンドの周囲の全方向の空間を必要に応じ利用してそれぞれの使用者が立った状態又は椅子等に座った状態でそれぞれの機器を使用しつつ、可及的に互いの空間や距離を保って円滑に充電することができる。
【００５９】
２種以上の充電用接続部を柱状部の側周部に有し、そのうちの１種以上の充電用接続部を複数有する場合、例えば、同種の複数の充電用接続部を柱状部の側周部の周方向における２以上の異なる周方向角度の位置に有するものとすることができる。この場合、柱状部の側周部の周方向における２以上の異なる周方向角度の位置に有する同種の充電用接続部のそれぞれに対し、接続用条体等を介して充電可能な機器を同時に接続することができるので、同種の充電用接続部を利用しながら、例えば、柱状部の基部の周囲に有する略環状面状の支持面部上に載置した状態で、或いは、充電スタンドの周囲の全方向の空間を必要に応じ利用してそれぞれの使用者が立った状態又は椅子等に座った状態でそれぞれの機器を使用しつつ、可及的に互いの空間や距離を保って円滑に充電することができる。
【００６０】
柱状部の側周部に有する充電用接続部の高さ方向位置は、例えば、支持面部の近傍位置とすることができる他、より上方の位置とすることもできる。柱状部の側周部に複数の充電用接続部を有する場合、それらの充電用接続部の高さ方向位置は、例えば、互いに異なるものとすること、一定とすること、複数の充電用接続部からなる群を２以上有し、各群における充電用接続部が互いに同じ高さで群同士の高さ位置が互いに異なるものとすることができる。
【００６１】
(6) 柱状部の上方部には、充電機能に関する状況を表示し得る表示部を有することが好ましく、その表示部は、水平方向における全方位から視認し得るものとすることが好ましい。
【００６２】
そのような表示部は、水平方向における全方位から視認し得るものとする上で、上端を含む上方部（上端部等）の表示状態が変化するものとすることができる。表示状態の変化の例としては、発光と消灯の変化、色・点滅状況・強弱等の発光状態の変化等を挙げることができ、充電機能に関する状況の表示の例としては、充電可能な状態であるか否か、充電用接続部に空きがあるか否か、空きがある充電用接続部の種類等を、前記各種表示状態により表示するものを挙げることができるが、これらに限るものではない。
【００６３】
柱状部の上端の高さは、床面や地面等の設置対象に対し、例えば１乃至２．５ｍ、好ましくは１．２乃至２ｍとすることができる。
【００６４】
(7) 本発明の充電スタンドの電源は、例えば、商用電源の他、蓄電池又はその他の電源とすることができ、これらの２種以上を併用するものであってもよい。
【００６５】
(8) 本発明の充電スタンドは、充電のオン・オフ時刻や使用時間、充電電流値等の充電利用状況（例えば、各充電用接続部についての充電利用状況、複数種の充電用接続部を有する場合は必要に応じ各種類毎の充電用接続部の充電利用状況）を計測してそれらの計測データを出力する計測部と、計測部から出力された計測データを無線又は有線でインターネット等の通信網を介して所定のサーバ等の装置に対し送信し得る通信部を備え、その計測データを、通信網を介して受信したサーバ等の装置において処理することにより、充電スタンド又は複数の充電スタンドからなる充電スタンド群の位置や配置密度の設定、各充電スタンドにおける充電用接続部の種類の設定等に利用し得るものとすることができる。
【符号の説明】
【００６６】
Ａ      支持盤
Ｂ      連結部材
Ｂ１    垂下部
Ｂ２    張出部
Ｃ      電源コード
Ｅ      商用電源プラグ差込口
Ｈ      上下貫通孔部
Ｌ      表示部
Ｍ      柱状部
Ｍ１    側周部
Ｐ      支持面部
Ｓ      支持部
Ｔ      方形盤状部
Ｕ      ＵＳＢポート
【図１】
2020096528.tif 000003
【図２】
2020096528.tif 000004
【図３】
2020096528.tif 000005